(57)【要約】【課題】簡易な方法でメンテナンス性とセキュリティ性との両立を実現することができるセキュリティ機能付き情報処理装置。【解決手段】貫通穴１６が形成された箱状のシャーシ２０と、シャーシ２０の前面に取り付け可能で且つ先端部に止め金１３ｃが形成されたキーロック１３を有するフロントカバー１０と、シャーシ２０の天面を覆い且つシャーシ２０に形成された貫通穴１６を貫通する止め金受け部２１０を有する天面カバー２１とを備え、キーロック１３を操作させてロック状態にしたときに、天面カバー２１に形成された止め金受け部２１０にキーロック１３に形成された止め金１３ｃが引っ掛かる。【選択図】図６
2013144479.tif 000002
【特許請求の範囲】
【請求項１】
貫通穴が形成された箱状のシャーシと、
前記シャーシの前面に取り付け可能で且つ先端部に止め金が形成されたキーロックを有するフロントカバーと、
前記シャーシの天面を覆い且つ前記シャーシに形成された前記貫通穴を貫通する止め金受け部を有する天面カバーとを備え、
前記キーロックを操作させてロック状態にしたときに、前記天面カバーに形成された前記止め金受け部に前記キーロックに形成された前記止め金が引っ掛かることを特徴とするセキュリティ機能付き報処理装置。
【請求項２】
止め金受け部が形成された箱状のシャーシと、
前記シャーシの前面に取り付け可能で且つ先端部に止め金が形成されたキーロックを有するフロントカバーと、
前記シャーシの天面を覆い且つ前記シャーシに形成された前記止め金受け部が貫通するための貫通穴が形成された天面カバーとを備え、
前記キーロックを操作させてロック状態にしたときに、前記シャーシに形成された前記止め金受け部に前記キーロックに形成された前記止め金が引っ掛かることを特徴とするセキュリティ機能付き報処理装置。
【請求項３】
第1貫通穴が形成され且つ前記第1貫通穴を貫通する止め金が形成されたキーロックを有するシャーシと、
前記止め金が貫通する第2貫通穴が形成され且つ止め金受け部が形成されたフロントカバーとを備え、
前記キーロックを操作させてロック状態にしたときに、前記フロントカバーに形成された前記止め金受け部に前記キーロックに形成された前記止め金が引っ掛かることを特徴とするセキュリティ機能付き報処理装置。
【請求項４】
第1貫通穴が形成され且つ前記第1貫通穴を貫通する止め金が形成されたキーロックを有する天面カバーと、
前記止め金が貫通する第2貫通穴が形成されたシャーシと、
前記止め金が貫通する第3貫通穴が形成され且つ止め金受け部が形成されたフロントカバーとを備え、
前記キーロックを操作させてロック状態にしたときに、前記フロントカバーに形成された前記止め金受け部に前記キーロックに形成された前記止め金が引っ掛かることを特徴とするセキュリティ機能付き報処理装置。
【請求項５】
第1貫通穴が形成され且つ前記第1貫通穴を貫通する止め金が形成されたキーロックを有する天面カバーと、
止め金受け部が形成されたシャーシと、
前記止め金が貫通する第２貫通穴が形成されたフロントカバーとを備え、
前記キーロックを操作させてロック状態にしたときに、前記シャーシに形成された前記止め金受け部に前記キーロックに形成された前記止め金が引っ掛かることを特徴とするセキュリティ機能付き報処理装置。
【発明の詳細な説明】
【技術分野】
【０００１】
本発明の実施形態は、外部記憶デバイス内部の情報の盗難防止、誤操作防止のためのセキュリティ機能付き情報処理装置に関する。
【背景技術】
【０００２】
近年の情報処理装置では、外部記憶デバイスとしてハードディスクや光学ドライブが使用されている。特に、産業用途に用いられる情報処理装置では、ダウンタイムを低減するために、外部記憶デバイスを交換しやすい構造としていることが多い。その反面、産業用途においては、外部記憶デバイス内部の情報も機密扱いの情報なども含まれており、これらの情報の盗難防止、誤操作防止のためのセキュリティ機能が強く求められている。
【０００３】
さらに、情報処理装置内部には、高額なユニット部品も多いため、情報処理装置のシャーシ内部の用品に関しても、セキュリティ機能により保護することが望まれている。
【０００４】
例えば、特許文献１では、ドライブ部分のみをロックするロック機構を設け、このロック機構によるセキュリティ機能により情報処理装置内の機密情報を保護している。また、特許文献２では、フロントパネルに２段ロック機構を設け、この２段ロック機構によるセキュリティ機能により情報処理装置内の機密情報を保護している。
【先行技術文献】
【特許文献】
【０００５】
【特許文献１】米国特許2010/0039769 A1
【特許文献２】米国特許7634782 B2
【発明の概要】
【発明が解決しようとする課題】
【０００６】
しかしながら、上述した産業用途向けの機器のように外部記憶デバイスを交換しやすい構造を持った情報処理装置では、そのデバイスを容易に交換できるメンテナンス性と、機密情報保護などのセキュリティ性の両立が大きな課題となっていた。
【０００７】
本発明が解決しようとする課題は、簡易な方法でメンテナンス性とセキュリティ性との両立を実現することができるセキュリティ機能付き情報処理装置を提供することにある。
【課題を解決するための手段】
【０００８】
前記課題を解決するために、実施形態に係るセキュリティ機能付き情報処理装置は、貫通穴が形成された箱状のシャーシと、前記シャーシの前面に取り付け可能で且つ先端部に止め金が形成されたキーロックを有するフロントカバーと、前記シャーシの天面を覆い且つ前記シャーシに形成された前記貫通穴を貫通する止め金受け部を有する天面カバーとを備え、前記キーロックを操作させてロック状態にしたときに、前記天面カバーに形成された前記止め金受け部に前記キーロックに形成された前記止め金が引っ掛かることを特徴とする。
【図面の簡単な説明】
【０００９】
【図１】第１の実施形態に係るセキュリティ機能付き情報処理装置の構成図である。
【図２】第１の実施形態に係るセキュリティ機能付き情報処理装置のフロントカバーの詳細を示す図である。
【図３】第１の実施形態に係るセキュリティ機能付き情報処理装置のメインシャーシを示す図である。
【図４】第１の実施形態に係るセキュリティ機能付き情報処理装置の天面カバーの詳細を示す図である。
【図５】第１の実施形態に係るセキュリティ機能付き情報処理装置のシャーシ及び天面カバーの組み合わせを示す図である。
【図６】第１の実施形態に係るセキュリティ機能付き情報処理装置のフロントカバーに設けられたキーロックに形成された止め金が天面カバーに形成された止め金受け部に引っ掛かる様子を示す図である。
【図７】第２の実施形態に係るセキュリティ機能付き情報処理装置のフロントカバーに設けられたキーロックに形成された止め金がメインシャーシに形成された止め金受け部に引っ掛かる様子を示す図である。
【図８】第３の実施形態に係るセキュリティ機能付き情報処理装置のメインシャーシに設けられたキーロックに形成された止め金がフロントカバーに形成された止め金受け部に引っ掛かる様子を示す図である。
【図９】第４の実施形態に係るセキュリティ機能付き情報処理装置の天面カバーに設けられたキーロックに形成された止め金がフロントカバーに形成された止め金受け部に引っ掛かる様子を示す図である。
【図１０】第５の実施形態に係るセキュリティ機能付き情報処理装置の天面カバーに設けられたキーロックに形成された止め金がシャーシに形成された止め金受け部に引っ掛かる様子を示す図である。
【発明を実施するための形態】
【００１０】
以下、実施形態に係るセキュリティ機能付き情報処理装置について、図面を参照しながら詳細に説明する。
【００１１】
（第１の実施形態）
図１は、第１の実施形態に係るセキュリティ機能付き情報処理装置の構成図である。図１において、情報処理装置１は、モールド成型品からなるフロントカバー１０と、前面がフロントカバー１０に覆われる箱状のメインシャーシ２０とを備えて構成される。
【００１２】
図２は、第１の実施形態に係るセキュリティ機能付き情報処理装置のフロントカバーの詳細を示す図である。図２（ａ）はフロントカバーの上面図、図２（ｂ）は正面図、図２（ｃ）は下面図、図２（ｄ）は左側面図、図２（ｅ）は右側面図、図２（ｆ）は背面図である。
【００１３】
図２において、フロントカバー１０は、下部に形成された３つの固定穴１１と左右側面に形成された可動爪１２と中央に設けられたキーロック１３とを有し、固定穴１１と可動爪１２とキーロック１３とによりメインシャーシ２０に固定される。フロントカバー１０は、キーロック１３がロック状態でない場合でも、固定穴１１が図３に示すメインシャーシ２０に形成された突起部１４に嵌合し、可動爪１２が図３に示すメインシャーシ２０に形成された穴部１５に引っ掛かることによって、固定穴１１及び可動爪１２がメインシャーシ２０に固定されるようになっている。
【００１４】
図３は、第１の実施形態に係るセキュリティ機能付き情報処理装置のメインシャーシを示す図である。図３において、メインシャーシ２０は、天面を覆う天面カバー２１と箱状のシャーシ２２から構成されている。メインシャーシ２０の前面右側には外部記憶デバイス用のベイが設けられており、ベイ用カバー２２０を外すことで内側に設置された外部記憶デバイスを交換することができる。
【００１５】
図４は、第１の実施形態に係るセキュリティ機能付き情報処理装置の天面カバーの詳細を示す図である。図４（ａ）は天面カバーの表側、図４（ｂ）は天面カバーの裏側、図４（ｃ）は止め金受け部の詳細を示す。図３において、天面カバー２１は、後ろ側からスライドさせてシャーシ２２に固定する構造となっている。天面カバー２１の前端には、キーロック１３に形成された止め金が引っ掛かる止め金受け部２１０が形成されている。
【００１６】
止め金受け部２１０は、図５に示すように、天面カバー２１を箱状のメインシャーシ２０に嵌め込んだ状態では、メインシャーシ２０の前面上部に形成された貫通穴１６を通過してメインシャーシ２０の前面に突出するようになっている。
【００１７】
図６は、第１の実施形態に係るセキュリティ機能付き情報処理装置のキーロック１３に形成された止め金１３ｃが天面カバー２１に形成された止め金受け部２１０に引っ掛かる様子を示す図である。図６（ａ）はキーロック１３の正面図、図６（ｂ）は図６（ａ）のＡ−Ａ断面図である。
【００１８】
図６（ｂ）に示すように、キーロック１３は、フロントカバー１０に取り付けられ、回動部１３ａとキーロック本体１３ｂとクランク状に形成された止め金１３ｃを有している。フロントカバー１０に設けられたキーロック１３がロック状態にされた場合、即ち、キーなどで回動部１３ａを例えば９０度回動させた場合には、シャーシ２０の前面に突出した止め金受け部２１０に、キーロック１３に形成された止め金１３ｃが引っ掛かるようになっている。
【００１９】
次にこのように構成された第１の実施形態のセキュリティ機能付き情報処理装置の動作を説明する。
【００２０】
まず、天面カバー２１の前部の止め金受け部２１０は、メインシャーシ２０の前面上部の貫通穴１６を通過して前面に突出する。次に、フロントカバー１０をメインシャーシ２０に取り付けた状態で、キーロック１３をロック状態にすると、キーロック１３の止め金１３ｃが天面カバー２１の前部の止め金受け部２１０に引っ掛かる。このため、フロントカバー１０の左右側面に設けられた可動爪１２を押しても、フロントカバー１０が外れなくなるだけでなく、同時に天面カバー２１も外れなくなる。
【００２１】
この状態では、外部記憶デバイスを取り外すことはできず、外部記憶デバイスの盗難防止、誤操作防止となる。また、同時に天面カバー２１も外れなくなるため、メインシャーシ２０内のユニット部品にとっても盗難防止、誤操作防止となる。
【００２２】
即ち、フロントカバー１０のキーロック１３をロック状態にするだけで、容易なメンテナンス性を実現した情報処理装置においても、機密情報保護などのセキュリティ性を確保することが可能となる。
【００２３】
（第２の実施形態）
図７は、第２の実施形態に係るセキュリティ機能付き情報処理装置のキーロック１３に形成された止め金１３ｃがメインシャーシ２０ａに形成された止め金受け部２１０に引っ掛かる様子を示す図である。
【００２４】
この場合には、メインシャーシ２０ａに形成された止め金受け部２１０が天面カバー２１に形成された貫通穴１６を通過して、止め金受け部２１０がメインシャーシ２０ａの前面より突出する。次に、フロントカバー１０をメインシャーシ２０ａに取り付けた状態で、キーロック１３をロック状態にすると、キーロック１３の止め金１３ｃがメインシャーシ２０ａの前部の止め金受け部２１０に引っ掛かる。
【００２５】
このため、フロントカバー１０の左右側面に設けられた可動爪１２を押しても、フロントカバー１０が外れなくなるだけでなく、同時に天面カバー２１も外れなくなる。従って、第２の実施形態のセキュリティ機能付き情報処理装置においても、第１の実施形態のセキュリティ機能付き情報処理装置の効果と同様な効果が得られる。
【００２６】
（第３の実施形態）
図８は、第３の実施形態に係るセキュリティ機能付き情報処理装置のメインシャーシ２０ｂに設けられたキーロック１３に形成された止め金１３ｃがフロントカバー１０ｂに形成された止め金受け部２１０に引っ掛かる様子を示す図である。
【００２７】
この場合には、メインシャーシ２０ｂ内にキーロック１３が設けられ、このキーロック１３に形成された止め金１３ｃが、メインシャーシ２０ｂに形成された貫通穴１６ｂと天面カバー２１ｂに形成された貫通穴１６ａを通過して、メインシャーシ２０ｂから突出する（ロック状態時）。フロントカバー１０ｂには止め金受け部２１０が形成されている。
【００２８】
次に、フロントカバー１０ｂをメインシャーシ２０ｂに取り付けた状態で、キーロック１３をロック状態にすると、キーロック１３の止め金１３ｃがフロントカバー１０ｂに形成された止め金受け部２１０に引っ掛かる。
【００２９】
このため、フロントカバー１０ｂの左右側面に設けられた可動爪１２を押しても、フロントカバー１０ｂが外れなくなるだけでなく、同時に天面カバー２１ｂも外れなくなる。従って、第３の実施形態のセキュリティ機能付き情報処理装置においても、第１の実施形態のセキュリティ機能付き情報処理装置の効果と同様な効果が得られる。
【００３０】
（第４の実施形態）
図９は、第４の実施形態に係るセキュリティ機能付き情報処理装置の天面カバー２１ｃに設けられたキーロック１３に形成された止め金１３ｃがフロントカバー１０ｂに形成された止め金受け部２１０に引っ掛かる様子を示す図である。
【００３１】
この場合には、天面カバー２１ｃにキーロック１３が設けられ、このキーロック１３に形成された止め金１３ｃが、天面カバー２１ｃに形成された貫通穴１６ｃとメインシャーシ２０ｃに形成された貫通穴１６ｂを通過して、メインシャーシ２０ｃから突出する（ロック状態時）。フロントカバー１０ｂには止め金受け部２１０が形成されている。
【００３２】
次に、フロントカバー１０ｂをメインシャーシ２０ｃに取り付けた状態で、キーロック１３をロック状態にすると、キーロック１３の止め金１３ｃがフロントカバー１０ｂに形成された止め金受け部２１０に引っ掛かる。
【００３３】
このため、フロントカバー１０ｂの左右側面に設けられた可動爪１２を押しても、フロントカバー１０ｂが外れなくなるだけでなく、同時に天面カバー２１ｃも外れなくなる。従って、第４の実施形態のセキュリティ機能付き情報処理装置においても、第１の実施形態のセキュリティ機能付き情報処理装置の効果と同様な効果が得られる。
【００３４】
（第５の実施形態）
図１０は、第５の実施形態に係るセキュリティ機能付き情報処理装置の天面カバー２１ｄに設けられたキーロック１３に形成された止め金１３ｃがメインシャーシ２０ｄに形成された止め金受け部２１０に引っ掛かる様子を示す図である。
【００３５】
この場合には、天面カバー２１ｄにキーロック１３が設けられ、このキーロック１３に形成された止め金１３ｃが、天面カバー２１ｄに形成された貫通穴とフロントカバー１０ｃに形成された貫通穴とを通過して、メインシャーシ２０ｄから突出する（ロック状態時）。メインシャーシ２０ｄには止め金受け部２１０が形成されている。
【００３６】
次に、フロントカバー１０ｃをメインシャーシ２０ｄに取り付けた状態で、キーロック１３をロック状態にすると、キーロック１３の止め金１３ｃがメインシャーシ２０ｄに形成された止め金受け部２１０に引っ掛かる。
【００３７】
このため、フロントカバー１０ｃの左右側面に設けられた可動爪１２を押しても、フロントカバー１０ｃが外れなくなるだけでなく、同時に天面カバー２１ｄも外れなくなる。従って、第５の実施形態のセキュリティ機能付き情報処理装置においても、第１の実施形態のセキュリティ機能付き情報処理装置の効果と同様な効果が得られる。
【００３８】
以上のように、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
１  情報処理装置
１０  フロントカバー
１１  固定穴
１２  可動爪
１３  キーロック
１３ａ  回動部
１３ｂ  キーロック本体
１３ｃ  止め金
１４  突起部  
１５  穴部
１６  貫通穴
２０  メインシャーシ
２１  天面カバー
２１０  止め金受け部
２２  箱状のシャーシ
２２０  ベイ用カバー
【図１】
2013144479.tif 000003
【図２】
2013144479.tif 000004
【図３】
2013144479.tif 000005
【図４】
2013144479.tif 000006
【図５】
2013144479.tif 000007
【図６】
2013144479.tif 000008
【図７】
2013144479.tif 000009
【図８】
2013144479.tif 000010
【図９】
2013144479.tif 000011
【図１０】
2013144479.tif 000012